(57)【要約】      （修正有）【課題】焼き網を鉄板のように使用することが可能な調理用金属箔および調理用具を提供する。【解決手段】金属箔２００は、第１面１１０および第１面１１０の裏側の第２面１２０を有する焼き網１００に取り付け可能な調理用金属箔である。金属箔２００は、中央部２１０と、第１、第２端部２２０、２３０とを有している。中央部２１０は、焼き網１００の第１面１１０の少なくとも一部を覆うように配置可能である。第１端部２２０は、中央部２１０の第１端に連続しており且つ焼き網１００の第２面１２０の一端部の少なくとも一部を覆うように折り返し可能である。第２端部２３０は、中央部２１０の第１端の反対側の第２端に連続しており且つ焼き網１００の第２面１２０の他端部の少なくとも一部を覆うように折り返し可能である。【選択図】図１
0003186327.tif 000002
【実用新案登録請求の範囲】
【請求項１】
第１面および前記第１面の裏側の第２面を有する焼き網に取り付け可能な調理用金属箔であって、
前記焼き網の前記第１面の少なくとも一部を覆うように当該第１面上に配置可能である中央部と、
前記中央部の第１端に連続しており且つ前記焼き網の前記第２面の一端部の少なくとも一部を覆うように折り返し可能な第１端部と、
前記中央部の前記第１端の反対側の第２端に連続しており且つ前記焼き網の前記第２面の他端部の少なくとも一部を覆うように折り返し可能な第２端部とを有している調理用金属箔。
【請求項２】
請求項１記載の調理用金属箔において、
前記第１、第２端部は、前記焼き網の前記第２面側において互いに接触又は係合可能である調理用金属箔。
【請求項３】
先行する何れかの請求項に記載の調理用金属箔において、
当該金属箔の厚み寸法が０.０３５〜０.０６ｍｍである調理用金属箔。
【請求項４】
先行する何れかの請求項に記載の調理用金属箔において、
当該金属箔はアルミ箔である調理用金属箔。
【請求項５】
第１面および前記第１面の裏側の第２面を有する焼き網と、
金属箔とを備えており、
前記金属箔は、前記焼き網の前記第１面の少なくとも一部を覆うように当該第１面上に配置された中央部と、
前記中央部の第１端に連続しており且つ前記焼き網の前記第２面の一端部の少なくとも一部を覆うように折り返された第１端部と、
前記中央部の前記第１端の反対側の第２端に連続しており且つ前記焼き網の前記第２面の他端部の少なくとも一部を覆うように折り返された第２端部とを有している調理用具。
【請求項６】
請求項４記載の調理用具において、
前記金属箔の前記第１、第２端部は、前記焼き網の前記第２面側において互いに接触又は係合している調理用具。
【請求項７】
請求項５〜６の何れかに記載の調理用具において、
前記金属箔の厚み寸法が０.０３５〜０.０６ｍｍである調理用具。
【請求項８】
請求項５〜６の何れかに記載の調理用具において、
前記金属箔はアルミ箔である調理用具。
【考案の詳細な説明】
【技術分野】
【０００１】
本考案は、調理用金属箔および調理用具に関する。
【背景技術】
【０００２】
バーベキューグリルとしては特許文献１に記載されたものがある。このバーベキューグリルは、炭等を入れることが可能な箱型の本体部と、前記本体部上に載置される焼き網とを備えている。前記焼き網上で肉等が調理される。
【０００３】
【特許文献１】実用新案登録第３１３４４７２号公報
【考案の開示】
【考案が解決しようとする課題】
【０００４】
上記バーベキューグリルは、焼き網に代えて、本体部に鉄板を載置することによって、焼きそばやお好み焼き等を調理することが可能である。しかし、鉄板は焼き網に比べて高価である。また、鉄板は焼き網に比べて重く、可搬性に欠ける。
【０００５】
本考案は、上記事情に鑑みて創案されたもので、焼き網を鉄板のように使用することが可能な調理用金属箔および調理用具を提供することを目的としている。
【課題を解決するための手段】
【０００６】
上記課題を解決するために、本考案に係る調理用金属箔は、第１面および前記第１面の裏側の第２面を有する焼き網に取り付け可能な調理用金属箔である。この金属箔は、中央部と、第１、第２端部とを有している。前記中央部は、前記焼き網の前記第１面の少なくとも一部を覆うように当該第１面上に配置可能である。前記第１端部は、前記中央部の第１端に連続しており且つ前記焼き網の前記第２面の一端部の少なくとも一部を覆うように折り返し可能である。前記第２端部は、前記中央部の前記第１端の反対側の第２端に連続しており且つ前記焼き網の前記第２面の他端部の少なくとも一部を覆うように折り返し可能である。
【０００７】
このような態様の調理用金属箔による場合、中央部が焼き網の第１面の少なくとも一部を覆うように第１面上に配置し、第１端部を焼き網の第２面の一端部の少なくとも一部を覆うように折り返し、第２端部を焼き網の前記第２面の他端部の少なくとも一部を覆うように折り返す。これにより、金属箔が焼き網に取り付けられるので、金属箔の中央部上で調理することによって、焼き網を鉄板のように使用することが可能になる。しかも、焼き網に金属箔を取り付けるだけであるので、金属箔および焼き網は、鉄板に比べて軽く、持ち運びが容易である。さらに、金属箔が上述の通り焼き網に取り付けられているので、金属箔が焼き網上で可動するのを防止することができ且つ焼き網の汚れを防止することができる。
【０００８】
前記第１、第２端部は、前記焼き網の前記第２面側において互いに接触又は係合可能な構成とすることが可能である。このような態様の調理用金属箔による場合、当該金属箔の第１、第２端部を焼き網の第２面側で互いに接触又は係合させることによって、金属箔の焼き網に対する取り付けが安定する。よって、金属箔の中央部上で調理し易くなる。
【０００９】
上記金属箔の厚み寸法が０.０３５〜０.０６ｍｍであることが好ましい。このような態様の調理用金属箔による場合、前記中央部上で調理をしても当該金属箔が破れ難い。
【００１０】
上記金属箔はアルミ箔であることが好ましい。
【００１１】
本考案に係る調理用具は、焼き網と、金属箔とを備えている。前記焼き網は、第１面および前記第１面の裏側の第２面を有している。前記金属箔は、中央部と、第１、第２端部とを有している。前記中央部は、前記焼き網の前記第１面の少なくとも一部を覆うように第１面上に配置されている。前記第１端部は、前記中央部の第１端に連続しており且つ前記焼き網の前記第２面の一端部の少なくとも一部を覆うように折り返されている。前記第２端部は、前記中央部の前記第１端の反対側の第２端に連続しており且つ前記焼き網の前記第２面の他端部の少なくとも一部を覆うように折り返されている。
【００１２】
このような態様の調理用具による場合、金属箔の中央部が焼き網の第１面の少なくとも一部を覆うように第１面上に配置され、第１端部が焼き網の第２面の一端部の少なくとも一部を覆うように折り返され、第２端部が焼き網の前記第２面の他端部の少なくとも一部を覆うように折り返されている。このようにして金属箔が焼き網に取り付けられているので、金属箔の中央部上で調理することによって、焼き網を鉄板のように使用することが可能になる。しかも、焼き網に金属箔を取り付けるだけであるので、金属箔および焼き網は、鉄板に比べて軽く、持ち運びが容易である。さらに、金属箔が上述の通り焼き網に取り付けられているので、金属箔が焼き網上で可動するのを防止することができ且つ焼き網の汚れを防止することができる。
【００１３】
前記金属箔の前記第１、第２端部は、前記焼き網の前記第２面側において互いに接触又は係合した構成とすることが可能である。このような態様の調理用具による場合、前記金属箔の第１、第２端部を焼き網の第２面側で互いに接触又は係合されているので、金属箔の焼き網に対する取り付けが安定する。よって、中央部上で調理し易くなる。
【００１４】
前記金属箔の厚み寸法が０.０３５〜０.０６ｍｍであることが好ましい。このような態様の調理用具による場合、前記中央部上で調理をしても当該金属箔が破れ難い。
【００１５】
上記調理用具の前記金属箔はアルミ箔であることが好ましい。
【図面の簡単な説明】
【００１６】
【図１】本考案の実施例１に係る調理用具の概略的断面図である。
【図２】本考案の実施例２に係る調理用具の概略的断面図である。
【考案を実施するための形態】
【００１７】
以下、本考案の実施例１及び２について説明する。
【実施例１】
【００１８】
まず、本考案の実施例１に係る調理用具について図１を参照しつつ説明する。図１に示す調理用具は、焼き網１００と、調理用の金属箔２００とを備えている。以下、調理用具の各構成要素について詳しく説明する。
【００１９】
焼き網１００は矩形状である。焼き網１００は、厚み方向の第１面１１０と、第１面１１０の裏側の第２面１２０とを有している。第２面１２０は、第１方向Ｘの一端部と、第１方向Ｘの他端部とを有している。
【００２０】
金属箔２００は可撓性を有するアルミ箔である。金属箔２００の第１方向Ｘの寸法は、焼き網１００の第１方向Ｘの寸法よりも大きい。金属箔２００の厚み寸法は、家庭用の調理用アルミ箔の厚み寸法よりも大きい。具体的には、金属箔２００の厚み寸法が０.０３５〜０.０６ｍｍであるのに対して、家庭用の調理用アルミ箔の厚み寸法は０.０１２〜０.０２ｍｍであるので、金属箔２００は破れ難い。金属箔２００は、中央部２１０と、第１、第２端部２２０、２３０とを有している。
【００２１】
中央部２１０は、金属箔２００の第１、第２端部２２０、２３０の間の部分である。中央部２１０の第１方向Ｘの寸法は、焼き網１００の第１方向Ｘの寸法と略同じ又は若干大きい。中央部２１０は、焼き網１００の第１面１１０を覆うように、第１面１１０上に載置可能である。中央部２１０は、第１方向Ｘの第１端と、前記第１端の反対側の第２端とを有している。
【００２２】
第１端部２２０は、中央部２１０の前記第１端に連続した金属箔２００の端部である。第１端部２２０は、焼き網１００の第２面１２０の上記一端部を覆うように折り返し可能である。第２端部２３０は、中央部２１０の前記第２端に連続した金属箔２００の端部である。第２端部２３０は、焼き網１００の第２面１２０の上記他端部を覆うように折り返し可能である。
【００２３】
以下、金属箔２００を焼き網１００に取り付ける手順について詳しく説明する。まず、ロール状に巻かれた金属箔の一部を切り取る。切り取られた金属箔が金属箔２００となる。この金属箔２００は、フラットなシート状である。その一方で、焼き網１００を用意する。その後、金属箔２００の中央部２１０を焼き網１００の第１面１１０を覆うように第１面１１０上に配置させる。その後、金属箔２００の第１端部２２０が焼き網１００の第２面１２０の一端部を覆うように当該第１端部２２０を折り返す。これと共に、金属箔２００の第２端部２３０が焼き網１００の第２面１２０の他端部を覆うように当該第２端部２３０を折り返す。これにより、第１、第２端部２２０、２３０が焼き網１００の第２面１２０に接触する。このようにして金属箔２００が焼き網１００に取り付けられる。
【００２４】
以上のような調理用具は、次の技術的特徴を有する。第１に、金属箔２００が上述の通り焼き網１００に取り付けられているので、金属箔２００の中央部２１０上で調理することによって、焼き網１００を鉄板のように使用することが可能になる。第２に、金属箔２００が上述の通り焼き網１００に取り付けられているので、金属箔２００が焼き網１００上で可動するのを防止することができ且つ焼き網１００の汚れを防止することができる。特に、焼きそばやお好み焼き等を金属箔２００の中央部２１０上で調理するときには、中央部２１０上で焼きそばやお好み焼き等の具材が菜箸やテコで混ぜ合わされる。しかし、金属箔２００は前述の通り焼き網１００に取り付けられているので、金属箔２００が具材と共に焼き網１００の第１面１１０上を可動することがない。第３に、金属箔２００が上述の厚み寸法を有しているので、具材を混ぜ合わせるときに、金属箔２００が破れるのを抑制することができる。第４に、焼き網１００に金属箔２００を取り付けただけであるので、調理用具は、鉄板に比べて軽く、持ち運びが容易である。
【実施例２】
【００２５】
次に、本考案の実施例２に係る調理用具について図２を参照しつつ説明する。図２に示す調理用具は、金属箔２００’の構成が金属箔２００の構成と相違する以外、実施例１の調理用具と同じ構成である。よって、この相違点についてのみ詳しく説明し、実施例１と重複する説明は省略する。なお、実施例２の金属箔の符号については、’を付して実施例１の金属箔２００と区別する。
【００２６】
金属箔２００’は次の点で金属箔２００と相違している以外、略同じ構成である。その相違点は、第１、第２端部２２０’、２３０’の第１方向Ｘの寸法が、第１、第２端部２２０、２３０の第１方向Ｘの寸法よりも大きく且つ第１、第２端部２２０’、２３０’の先端部同士が接触可能な点である。
【００２７】
以下、金属箔２００’を焼き網１００に取り付ける手順について詳しく説明する。まず、ロール状に巻かれた金属箔の一部を切り取る。切り取られた金属箔が金属箔２００’となる。この金属箔２００’はフラットなシート状である。その一方で、焼き網１００を用意する。その後、金属箔２００’の中央部２１０’を焼き網１００の第１面１１０を覆うように第１面１１０上に配置させる。その後、金属箔２００’の第２端部２３０’が焼き網１００の第２面１２０の他端部を覆うように当該第２端部２３０’を折り返す。その後、金属箔２００’の第１端部２２０’が焼き網１００の第２面１２０の一端部を覆うように当該第１端部２２０’を折り返し、第１端部２２０’の先端部を第２端部２３０’の先端部に重ね合わせる（すなわち、第１、第２端部２２０’、２３０’の先端部同士を接触させる）。これにより、第１、第２端部２２０’、２３０’が焼き網１００の第２面１２０に接触する。このようにして金属箔２００’が焼き網１００に取り付けられる。
【００２８】
以上のような調理用具による場合、実施例１の調理用具と同様の技術的特徴を奏する。しかも、第１、第２端部２２０’、２３０’の先端部同士を接触させているので、金属箔２００’の焼き網１００に対する取り付け状態が安定する。また、第１、第２端部２２０’、２３０’の先端部同士を接触させることによって、焼き網１００の第２面１２０を覆っているので、焼き網１００が灰等で汚れるのを防止することができる。
【００２９】
なお、上述した調理用具および金属箔は、上記実施例に限定されるものではなく、実用新案登録請求の範囲の記載範囲において任意に設計変更することが可能である。以下、詳しく述べる。
【００３０】
本考案の焼き網は、第１面と、前記第１面の裏側の第２面とを有する限り任意に設計変更することが可能である。本考案の焼き網は、矩形状に限定されず、円形等その他の形状とすることが可能である。
【００３１】
本考案の金属箔は、アルミ箔以外の可撓性を有する金属箔で構成することが可能である。本考案の金属箔は、上述した焼き網の第１面の少なくとも一部を覆うように当該第１面上に配置可能である中央部と、前記中央部の第１端に連続しており且つ前記焼き網の第２面の一端部の少なくとも一部を覆うように折り返し可能な第１端部と、前記中央部の前記第１端の反対側の第２端に連続しており且つ前記焼き網の前記第２面の他端部の少なくとも一部を覆うように折り返し可能な第２端部とを有している限り任意に設計変更することが可能である。
【００３２】
例えば、上述した金属箔の中央部が上述した焼き網の第１面の第１方向Ｘに直交する第２方向の端部を覆うように前記第１面上に配置され、上述した第１端部が前記焼き網の第２面の一端部の前記第２方向の端部を覆うように折り返され、上述した第２端部が前記焼き網の前記第２面の他端部の前記第２方向の端部を覆うように折り返された構成とすることが可能である。また、上述した金属箔の第１、第２端部同士を係合させる構成とすることが可能である。例えば、金属箔の第１、第２端部の一方にスリットを形成し、他方を前記スリットに挿入させる構成とすることが可能である。なお、金属箔の厚み寸法は任意に変更することができる。
【００３３】
なお、上記実施例における調理用具および金属箔の各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００３４】
１００・・・・・・・焼き網
１１０・・・・・・第１面
１２０・・・・・・第２面
２００、２００’・・金属箔
２１０、２１０’・中央部
２２０、２２０’・第１端部
２３０、２３０’・第２端部
【図１】
0003186327.tif 000003
【図２】
0003186327.tif 000004
【手続補正書】
【提出日】平成25年8月1日(2013.8.1)
【手続補正１】
【補正対象書類名】実用新案登録請求の範囲
【補正対象項目名】全文
【補正方法】変更
【補正の内容】
【実用新案登録請求の範囲】
【請求項１】
第１面および前記第１面の裏側の第２面を有する焼き網に取り付け可能な調理用金属箔であって、
前記焼き網の前記第１面の少なくとも一部を覆うように当該第１面上に配置可能である中央部と、
前記中央部の第１端に連続しており且つ前記焼き網の前記第２面の一端部の少なくとも一部を覆うように折り返し可能な第１端部と、
前記中央部の前記第１端の反対側の第２端に連続しており且つ前記焼き網の前記第２面の他端部の少なくとも一部を覆うように折り返し可能な第２端部とを有している調理用金属箔。
【請求項２】
請求項１記載の調理用金属箔において、
前記第１、第２端部は、前記焼き網の前記第２面側において互いに接触又は係合可能である調理用金属箔。
【請求項３】
請求項１〜２の何れかの請求項に記載の調理用金属箔において、
当該金属箔の厚み寸法が０.０３５〜０.０６ｍｍである調理用金属箔。
【請求項４】
請求項１〜３の何れかの請求項に記載の調理用金属箔において、
当該金属箔はアルミ箔である調理用金属箔。
【請求項５】
第１面および前記第１面の裏側の第２面を有する焼き網と、
金属箔とを備えており、
前記金属箔は、前記焼き網の前記第１面の少なくとも一部を覆うように当該第１面上に配置された中央部と、
前記中央部の第１端に連続しており且つ前記焼き網の前記第２面の一端部の少なくとも一部を覆うように折り返された第１端部と、
前記中央部の前記第１端の反対側の第２端に連続しており且つ前記焼き網の前記第２面の他端部の少なくとも一部を覆うように折り返された第２端部とを有している調理用具。
【請求項６】
請求項５記載の調理用具において、
前記金属箔の前記第１、第２端部は、前記焼き網の前記第２面側において互いに接触又は係合している調理用具。
【請求項７】
請求項５〜６の何れかに記載の調理用具において、
前記金属箔の厚み寸法が０.０３５〜０.０６ｍｍである調理用具。
【請求項８】
請求項５〜６の何れかに記載の調理用具において、
前記金属箔はアルミ箔である調理用具。